(57)【要約】【課題】第１には、水タンクよりも比重が大きい錘を使用して強風でも倒れ難く、また吹き飛ばされ難い看板装置を提供し、第２には、さらに簡単に移動することができる看板装置を提供し、第３には、さらに看板の大きさの変更に簡単に対応することができる看板装置を提供する。【解決手段】看板部１２を支持するベース部１１を備えた看板装置１であって、ベース部１１には、前後方向に貫通した空洞部１３ａを有する中空ブロック１３が錘として設置される。尚、中空ブロック１３は、空洞部１３ａの貫通方向が看板部１２の看板１２ｄに対して直交するようにベース部１１に設置される。また、中空ブロック１３は、複数あり、ベース１１に着脱自在でかつ位置が変更可能に設置され、ベース部１１に設置する個数も適宜増減できる。また、ベース部１１の四隅には、ストッパー付きのキャスター１４が取り付けられているので、簡単に移動させることができる。【選択図】図１
2018081215.tif 000002
【特許請求の範囲】
【請求項１】
看板部を支持するベース部を備えた看板装置であって、前記ベース部には、錘として前後方向に貫通した空洞部を有する中空ブロックが設けられることを特徴とする看板装置。
【請求項２】
請求項１記載された看板装置において、
前記中空ブロックは、空洞部の貫通方向が前記看板部の看板面に対して直交するように前記ベース部に設置されることを特徴とする看板装置。
【請求項３】
請求項１または請求項２に記載された看板装置において、
前記ベース部は、
同一外径の複数の単管パイプを連結金具で連結して構成されており、その外径は前記中空ブロックの空洞部を完全に塞がないように空洞部の高さおよび幅よりも小さいことを特徴とする看板装置。
【請求項４】
請求項１〜請求項３のいずれか一の請求項に記載された看板装置において、
前記ベース部には、キャスターが設けられていることを特徴とする看板装置。
【請求項５】
請求項１〜請求項４のいずれか一の請求項に記載された看板装置において、
前記中空ブロックは、複数設けられており、前記ベース部に着脱自在で位置が変更可能に設置され、かつ、それら複数の中空ブロックの内、少なくとも２以上の中空ブロックの上面には、前記看板部のポールを支持するポール支持金具が設けられており、
そのポール支持金具が上面に設けられた中空ブロックの位置を変えたり、またはそのポール支持金具が上面に設けられた各中空ブロックのポール支持金具を選択することによって、前記看板部のポールの本数や間隔を任意に設定できるように構成されていることを特徴とする看板装置。
【発明の詳細な説明】
【技術分野】
【０００１】
本発明は、強風でも倒れ難く、また吹き飛ばされ難い看板装置に関する。
【背景技術】
【０００２】
従来の看板装置では、看板面が強風の抵抗を受けて倒れ易い為、砂袋を錘として設けたり、砂袋の代わりに水タンクを設け、その水タンクに水を溜めて錘としている（例えば、特許文献１参照。）。
【先行技術文献】
【特許文献】
【０００３】
【特許文献１】特開２００４−１４５２１６号公報
【発明の概要】
【発明が解決しようとする課題】
【０００４】
しかし、上述の特許文献１の看板装置では、水を貯めた水タンクを錘にしており、水は砂や石よりも軽いため、同じ重量にするためには砂袋等よりは体積が大きくなる。そのため、水タンク式の上述の特許文献１の看板装置では、風の当たる面積が増えるので、強風の場合、倒れたり、吹き飛ばされ易いという問題があった。
【０００５】
特に、上述の特許文献１の看板装置は、水を貯めた水タンクが錘であるため、小型の看板には適しているが、大型の看板には適していなかった。
【０００６】
また、上述の特許文献１の看板装置では、看板の大きさを変更することまでは考慮されず、看板の大きさの変更に対応することも出来ないでいた。
【０００７】
特に、郊外の店舗においては、新規開店やリニューアルオープン等の際、店舗駐車場等にオープン日告知看板を掲出する。その際の看板は、通常、大型となるため、据え置き型の看板装置が使用される場合が多く、建築業者等のトラックなどの出入り時や、敷地の舗装時等邪魔になり作業が遅れることが多々発生していた。特に、建築現場には、建築業者の外、アスファルト舗装業者、水道業者、内装業者、電気業者など様々な業者が出入りするが、いずれも設置看板については、看板業者の所有物のため、勝手に移動ができず、各業者の作業が遅れてしまうという問題があった。
【０００８】
そこで、本発明は、第１には、水タンクよりも比重が大きい錘を使用して強風でも倒れ難く、また吹き飛ばされ難い看板装置を提供すること、第２には、さらに簡単に移動することができる看板装置を提供すること、第３には、さらに看板の大きさの変更に簡単に対応することができる看板装置を提供することを目的とする。
【課題を解決するための手段】
【０００９】
前記課題を解決するため、本発明に係る看板装置は、看板部を支持するベース部を備えた看板装置であって、前記ベース部には、錘として前後方向に貫通した空洞部を有する中空ブロックが設けられることを第１の特徴とする。
また、本発明に係る看板装置は、前記看板装置において、前記中空ブロックは、空洞部の貫通方向が前記看板部の看板面に対して直交するように前記ベース部に設置されることを第２の特徴とする。
また、本発明に係る看板装置は、前記看板装置において、前記ベース部は、同一外径の複数の単管パイプを連結金具で連結して構成されており、その外径は前記中空ブロックの空洞部を完全に塞がないように空洞部の高さおよび幅よりも小さいことを第３の特徴とする。
また、本発明に係る看板装置は、前記看板装置において、前記ベース部には、キャスターが設けられていることを第４の特徴とする。
また、本発明に係る看板装置は、前記看板装置において、前記中空ブロックは、複数設けられており、前記ベース部に着脱自在で位置が変更可能に設置され、かつ、それら複数の中空ブロックの内、少なくとも２以上の中空ブロックの上面には、前記看板部のポールを支持するポール支持金具が設けられており、そのポール支持金具が上面に設けられた中空ブロックの位置を変えたり、またはそのポール支持金具が上面に設けられた各中空ブロックのポール支持金具を選択することによって、前記看板部のポールの本数や間隔を任意に設定できるように構成されていることを第５の特徴とする。
【発明の効果】
【００１０】
本発明に係る看板装置の第１の特徴によれば、看板部を支持するベース部には貫通した空洞部を有する中空ブロックが錘として設置されるため、中空ブロックは水タンクよりも比重が大きいので、強風でも倒れ難く、また吹き飛ばされ難い看板装置を提供することができる。
また、本発明に係る看板装置の第２の特徴によれば、中空ブロックは、空洞部の貫通方向が看板部の看板面に対して直交するように設置されるため、看板面は面積が大きいため風の抵抗が大きいものの、ベース部に設置される中空ブロックに当たった風は中空ブロックの空洞部から逃がすことが可能となり、この点でも強風でも倒れ難く、また吹き飛ばされ難い看板装置を提供することができる。
また、本発明に係る看板装置の第３の特徴によれば、ベース部は、同一外径の複数の単管パイプを連結金具で連結して構成されており、その外径は中空ブロックの空洞部を完全に塞がないように空洞部の高さおよび幅よりも小さいため、強風でも倒れ難く、また吹き飛ばされ難い看板装置を提供できると共に、同一外径の単管パイプの使用によりコストを低減することができる。
また、本発明に係る看板装置の第４の特徴によれば、ベース部には、キャスターが設けられているため、簡単に移動させることが可能となり、建築業者やそれ以外の業者、例えば、アスファルト舗装業者や水道業者、内装業者、電気業者など様々な業者の作業効率を向上させることができる。
また、本発明に係る看板装置の第５の特徴によれば、中空ブロックは着脱自在で、位置が変更可能に構成され、かつ、これら複数の中空ブロックの内、少なくとも２以上の中空ブロックの上面には、前記看板部のポールを支持するポール支持金具が設けられており、そのポール支持金具が上面に設けられた中空ブロックの位置を変えたり、またはそのポール支持金具が上面に設けられた各中空ブロックのポール支持金具を選択することによって、看板部のポールの本数や間隔を任意に設定できるため、看板の大きさの変更に簡単に対応することができる。
【図面の簡単な説明】
【００１１】
【図１】本発明に係る実施形態１の看板装置の正面図である。
【図２】本発明に係る実施形態１の看板装置の右側面図である。
【図３】本発明に係る実施形態１の看板装置の平面図である。
【図４】本発明に係る実施形態１の看板装置における中空ブロックの斜視図である。
【図５】本発明に係る実施形態２の看板装置の正面図である。
【図６】本発明に係る実施形態２の看板装置の右側面図である。
【図７】本発明に係る実施形態２の看板装置の平面図である。
【図８】（ａ）〜（ｃ）それぞれ本発明に係る実施形態３の看板装置における中空ブロックの平面図、正面図、側面図である。
【図９】本発明に係る実施形態３の看板装置の正面図である。
【発明を実施するための形態】
【００１２】
以下、本発明に係る実施形態１〜３の看板装置１を、図面を参照しながら詳細に説明する。なお、下記に説明する実施形態はその寸法等も含めあくまで本発明の一例であり、本発明は下記の実施形態に限定されるものではなく、本発明の技術思想の範囲内で適宜変更可能である。
【００１３】
実施形態１．
図１〜図３は、それぞれ、本発明に係る実施形態１の看板装置１の正面図、右側面図、平面図、図４は、実施形態１の看板装置１における中空ブロックの斜視図である。
【００１４】
実施形態１の看板装置１は、図1〜図４に示すように、ベース部１１と、そのベース部１１の上面側に立設した看板部１２と、錘である複数の中空ブロック１３と、ストッパー付きの自在キャスタ−１４等を備える。
【００１５】
（ベース部１１）
ベース部１１は、図１〜図３に示すように、例えば、足場等で使用される外径が４８．６ｍｍの同一外径の複数の単管パイプ（鋼管）を連結金具で連結して、平面視ほぼ長方形状の直方体（箱体）フレームを構成して、複数の中空ブロック１３を積み降ろし可能に構成されている。つまり、このベース部１１は、中空ブロック１３の個数を調整して積載可能であり、積み足すことも、それとは反対にベース部１１に積んである中空ブロック１３を降ろすことにより減らして、錘の重量を適宜調整することができる。尚、連結金部は、建築分野の足場の組立てに使用する単管パイプ（鋼管）の連結に使用される直交クランプや自在クランプ等の足場金具と同一であり、公知であるため、図１〜図３では、図示を省略する。
【００１６】
実施形態１のベース部１１の詳細な構造について説明すると、実施形態１のベース部１１は、ベース部１１の４隅に立設して設けられ、その下端部にそれぞれ公知のストッパー付きの自在キャスター１４が設けられた４本の縦管１１ａと、ベース部１１の平面視長方形状の上側前後の長辺を構成するように各縦管１１ａの上側にそれぞれ連結金具で連結される上側前長尺横管１１ｂ１および上側後長尺横管１１ｂ２と、同様に平面視長方形状の下側前後の長辺を構成するように各縦管１１ａの下側にそれぞれ連結金具で連結される下側前長尺横管１１ｃ１および下側後長尺横管１１ｃ２と、上側前長尺横管１１ｂ１と上側後長尺横管１１ｂ２の左右両側の上側にベース部１１の長方形状の左右の短辺をそれぞれ構成するように連結金具で連結される上側短尺横管１１ｄ，１１ｄと、同様にベース部１１の下側で長方形状の短辺を構成するように下側前長尺横管１１ｃ１と下側後長尺横管１１ｂ２の左右両側の下側に同様にベース部１１の長方形状の左右の短辺をそれぞれ構成するように連結金具で連結される下側短尺横管１１ｅ，１１ｅとにより平面視ほぼ長方形状の直方体（箱体）フレームを構成する。
【００１７】
また、ベース部１１は、複数の中空ブロック１３が落下しないよう下方から支持して積載するため、左右両側の下側短尺横管１１ｅ，１１ｅの下側に、長尺横管１１ｂ１，１１ｂ２，１１ｃ１，１１ｃ２と平行でかつ一定間隔を開けて複数（ここでは、例えば、２本とする。）のブロック支持管１１ｆ，１１ｆを連結金具で連結して設けている。
【００１８】
ここで、上側前長尺横管１１ｂ１と上側後長尺横管１１ｂ２との間、および下側前長尺横管１１ｃ１と下側後長尺横管１１ｃ２との間の間隔は、図２および図３に示すように、錘である各中空ブロック１３の長手方向（前後方向）に長さに合せて、中空ブロック１３が積み下ろし可能で、かつ、隙間があまり大きくならないようにしている。
【００１９】
そのため、このベース部１１では、ブロック支持管１１ｆ，１１ｆにより中空ブロック１３を下方から支持し、１段目の中空ブロック１３の前後方向は、下側前長尺横管１１ｃ１と下側後長尺横管１１ｃ２とでズレを規制（拘束）し、２段目の中空ブロック１３の前後方向は、上側前長尺横管１１ｂ１と上側後長尺横管１１ｂ２とでズレを規制（拘束）する。また、中空ブロック１３の左右方向は、左右両側の上側短尺横管１１ｄ，１１ｄと、下側短尺横管１１ｅ，１１ｅや、それらの内側に連結された後述する看板支持縦ポール１２ａ，１２ａによって規制している。
【００２０】
そのため、複数の中空ブロック１３は、ベース部１１に積み下ろし可能に積載されるものの、ベース部１１の前後方向および左右方向から落下しないので、強風が吹いた場合や、自在キャスター１４を使用しての看板装置１自体の移動時でも、複数の中空ブロック１３を落下させずに確実に支持することができる。
【００２１】
特に、このベース部１１では、図１に示すように、１段目の中空ブロック１３の前後方向は、下側前長尺横管１１ｃ１と下側後長尺横管１１ｃ２とでズレを規制（拘束）し、２段目の中空ブロック１３の前後方向は、上側前長尺横管１１ｂ１と上側後長尺横管１１ｂ２とでズレを規制（拘束）するように構成しているものの、上側前長尺横管１１ｂ１および上側後長尺横管１１ｂ２や、下側前長尺横管１１ｃ１および下側後長尺横管１１ｃ２は、それぞれ１段目の中空ブロック１３と２段目の中空ブロック１３の空洞部１３ａの前後を完全に塞がないような太さで、かつ、高さに設けているため、看板部１２の看板面に対し主に垂直方向に吹いて来た風でも、その中空ブロック１３の空洞部１３ａから確実に逃がすことができる。
【００２２】
また、ベース部１１に積載した状態でも空洞部１３ａが完全に塞がれていないので、ベース部１１に積載した中空ブロック１３を移動させる場合には、空洞部１３ａに手を入れる等して中空ブロック１３を掴むことが可能であり、中空ブロック１３を簡単に積み降ろしたり、移動させることができる。
【００２３】
（看板部１２）
看板部１２は、ベース部１１上に立設するもので、実施形態１では、ベース部１１を構成する左右の上側短尺横管１１ｄ，１１ｄと下側短尺横管１１ｅ，１１ｅとに連結金具で連結されて立設される看板支持縦ポール１２ａ，１２ａと、その左右の看板支持縦ポール１２ａ，１２ａに上下方向に看板部１２の大きさに合せて所定間隔を空けて連結金具で連結した上側看板支持横ポール１２ｂおよび下側看板支持横ポール１２ｃと、図１〜図３では２点鎖線で示した看板１２ｄとを有する。
【００２４】
ここで、実施形態１では、看板支持縦ポール１２ａ，１２ａや、上側看板支持横ポール１２ｂおよび下側看板支持横ポール１２ｃとして、ベース部１１を構成する縦管１１ａや、上側前長尺横管１１ｂ１および上側後長尺横管１１ｂ２等の横管と同じ外径である４８．６ｍｍの単管パイプを使用する。そのため、連結金具もベース部１１で使用している連結金具と同じものを使用できるので、製造コストを低減することができる。
【００２５】
看板１２ｄは、図示しない番線やボルト・ナット、ネジ等により上側看板支持横ポール１２ｂおよび下側看板支持横ポール１２ｃ等に固定する。
【００２６】
実施形態１の看板１２ｄの大きさは、例えば、横２７００ｍｍ、縦９００ｍｍ程度の比較的な大きな看板面を有しており、コンビニエンスストアや、スーパーマーケット、パチンコ店の新装開店やリニューアル、人員募集等の際の看板として使用され、さらには道路工事の際の誘導板または案内板等としても使用できる。尚、看板面の大きさ及び使用目的は、あくまで例示であり、本発明では、そのサイズや使用目的に限定されるものではない。
【００２７】
（中空ブロック１３）
中空ブロック１３は、図４に示すように、中心が前後方向に貫通した空洞部１３ａを有する立方体形状のコンクリートブロックから構成されており、図１〜図３に示すように、空洞部１３ａの貫通方向が看板部１２の看板１２ｄに対して直交するよう、すなわち中空ブロック１３の長手方向がベース部１１の上側短尺横管１１ｄ，１１ｄや下側短尺横管１１ｅ，１１ｅと平行になるようにベース部１１に設置する。
【００２８】
ここで、中空ブロック１３のサイズは、例えば、前後方向の長さが６００ｍｍであり、幅および高さが２００ｍｍである。また、中空ブロック１３の中心を前後方向に貫通する空洞部１３ａの大きさは、例えば、縦および横が１００×１００ｍｍとし、ベース部１１を構成する上側前長尺横管１１ｂ１および上側後長尺横管１１ｂ２や、下側前長尺横管１１ｃ１および下側後長尺横管１１ｃ２等の外径である４８．６ｍｍよりも大きいものを使用している。
【００２９】
そのため、空洞部１３ａの前後に上側前長尺横管１１ｂ１および上側後長尺横管１１ｂ２や、下側前長尺横管１１ｃ１および下側後長尺横管１１ｃ２が設置された場合でも、空洞部１３ａを完全に塞ぐことがなくなり、空洞部１３ａから風が抜けることができる。
【００３０】
従って、実施形態１の看板装置１によれば、看板部１２を支持するベース部１１には貫通した空洞部１３ａを有する中空ブロック１３が錘として設置され、中空ブロック１３は水タンクよりも比重が大きいので、強風でも倒れ難く、また吹き飛ばされ難い看板装置１を提供することができる。
【００３１】
特に、実施形態１の看板装置１では、錘として中空ブロック１３を使用しており、空洞部１３ａの貫通方向が看板部１２の看板１２ｄに対して直交するようにベース部１１に設置されるため、看板面は面積が大きいため風の抵抗が大きいものの、ベース部１１に設置される中空ブロック１３に当たった風は中空ブロック１３の空洞部１３ａから逃がすことが可能となり、この点でも強風でも倒れ難く、また吹き飛ばされ難い看板装置１を提供することができる。
【００３２】
また、実施形態１の看板装置１では、ベース部１１を構成する上側前長尺横管１１ｂ１および上側後長尺横管１１ｂ２や、下側前長尺横管１１ｃ１および下側後長尺横管１１ｃ２等は、中空ブロック１３の空洞部１３ａの高さ１００ｍｍよりも外径が小さい、外径が４８．６ｍｍの複数の単管パイプ（鋼管）を連結金具で連結して構成しているため、看板部１２の看板面に対し主に垂直方向に吹いて来た風でも、中空ブロック１３の空洞部１３ａから確実に逃がすことができ、強風でも倒れ難く、また吹き飛ばされ難い看板装置１を提供することができると共に、同一外径の単管パイプの使用によりコストを低減することができる。
【００３３】
また、実施形態１の看板装置１では、ベース部１１を構成する下側前長尺横管１１ｃ１と下側後長尺横管１１ｃ２との間隔、および上側前長尺横管１１ｂ１と上側後長尺横管１１ｂ２との間隔を、中空ブロック１３の長手方向の長さとほぼ同じにして構成したため、中空ブロック１３が下側前長尺横管１１ｃ１と下側後長尺横管１１ｃ２との間、および上側前長尺横管１１ｂ１と上側後長尺横管１１ｂ２との間にほぼ隙間無く設置することが可能となり、強風が吹いた場合や、自在キャスター１４を使用して看板装置１を移動させた場合でも、中空ブロック１３がズレたり暴れることがなくなるので、安定した看板装置１を提供することができる。
【００３４】
また、実施形態１の看板装置１では、看板部１２を支持するベース部１１は、錘である中空ブロック１３を複数個、着脱自在で、かつ、複数段積載可能に構成したため、風の強さに応じてベース部１１に乗せる中空ブロック１３の数を増減することが可能となり、この点でも強風でも倒れ難く、また吹き飛ばされ難い看板装置１を提供することができる。
【００３５】
また、実施形態１の看板装置１によれば、ベース部１１を構成する複数の単管パイプの内、四隅の縦方向の単管パイプである縦管１１ａの下端部には、それぞれ自在キャスター１４を設けたため、簡単に移動させることが可能となる。
【００３６】
そのため、例えば、郊外の店舗においては、新規開店やリニューアルオープン等の際、店舗駐車場等にオープン日告知看板を掲出するが、その際の看板は、通常、大型であるため、据え置き型の看板装置が使用されていた。据え置き型の看板装置の場合、建築業者等のトラックなどの出入り時や、敷地の舗装時等邪魔になり作業が遅れることが多々発生していた。特に、建築現場には、建築業者の外、アスファルト舗装業者、水道業者、内装業者、電気業者など様々な業者が出入りするが、いずれも設置看板については、看板業者の所有物のため、勝手に移動ができず、作業が遅れてしまうことがあった。
【００３７】
しかし、実施形態１の看板装置１によれば、風圧等も考慮して錘として中空ブロック１３を使用し、かつ、その中空ブロック１３の空洞部１３ａの貫通方向も風の抜ける方向を考慮してベース部１１に設置するように構成したため、新規開店やリニューアルオープン等の際、店舗駐車場等にオープン日告知看板用の大型の看板１２ｄを使用できると共に、ベース部１１にはストッパー付きの自在キャスター１４を設け、簡単に移動させることができるので、建築現場における建築業者や、建築業者以外の例えば、アスファルト舗装業者や水道業者、内装業者、電気業者など様々な業者の作業効率を向上させ、各業者のストレスも低減させることができる。
【００３８】
尚、実施形態１の看板装置１では、ベース部１１は、中空ブロック１３を最大２段積載できるように上側前長尺横管１１ｂ１および上側後長尺横管１１ｂ２や、下側前長尺横管１１ｃ１および下側後長尺横管１１ｃ２、上側短尺横管１１ｄ，１１ｄおよび下側短尺横管１１ｅ，１１ｅというように２段で構成して説明したが、本発明では、これに限定されず、中空ブロック１３を３段以上積載する場合には、これら長尺横管および短尺横管を３段以上連結するように構成すれば良い。
【００３９】
実施形態２．
上記実施形態１の看板装置１では、看板部１２の看板１２ｄの面積が大きい看板装置について説明したが、実施形態２の看板装置１では、看板部１２の看板１２ｄの面積が小さい看板装置１について説明する。具体的には、実施形態１では、例えば、横２７００ｍｍ、縦９００ｍｍ以上の看板１２ｄを想定しているが、この実施形態２では、例えば、横１８００ｍｍ、縦９００ｍｍ以下の看板１２ｄを想定している。
【００４０】
図５〜図７は、それぞれ、本発明に係る実施形態２の看板装置１の正面図、右側面図、平面図である。尚、実施形態２の看板装置１では、実施形態１の看板装置１と同じ中空ブロック１を使用する。
【００４１】
実施形態２の看板装置１は、ベース部１１と、そのベース部１１の上面側に立設する看板部１２と、錘である複数の中空ブロック１３と、自在キャスタ−１４とを有する点では、図１〜図３に示す実施形態１の看板装置１と同じであるが、実施形態２の看板装置１は、図５〜図７に示すように、看板部１２の看板１２ｄの面積が小さく、実施形態１の場合よりも風の抵抗が小さいため、中空ブロック１３は一段しか積まず、且つ、ベース部１１の構成や看板部１２の看板支持縦ポール１２ａ，１２ａの間隔や、上側看板支持横ポール１２ｂおよび下側看板支持横ポール１２ｃの長さを変更している。
【００４２】
つまり、実施形態２の看板装置１でも、ベース部１１は、実施形態１の看板装置１と同様に、単管パイプ（鋼管）を連結金具で連結して平面視ほぼ長方形状の直方体（箱体）フレームを構成し、複数の中空ブロック１３を積み降ろし可能に構成するが、図５〜図７に示すように、中空ブロック１３は一段しか積まないため、上側前長尺横管１１ｂ１および上側後長尺横管１１ｂ２と、下側前長尺横管１１ｃ１および下側後長尺横管１１ｃ２との間の上下間隔を、実施形態１のベース部１１よりも小さくしている。ただし、実施形態２のベース部１１でも、中空ブロック１３を二段以上積むことは可能である。
【００４３】
また、実施形態２の看板装置１は、看板部１２の看板１２ｄの面積が小さく、看板支持縦ポール１２ａ，１２ａの間隔を実施形態１よりも狭く構成しているため、左右の上側短尺横管１１ｄ，１１ｄを、下側短尺横管１１ｅ，１１ｅよりも内側に設けている。
【００４４】
そのため、実施形態２の看板装置１では、看板支持縦ポール１２ａ，１２ａの下方は、図5に示すように間隔を狭くした上側短尺横管１１ｄ，１１ｄと、図６および図７に示すように後側のブロック支持管１１ｆとに連結金具で連結する一方、看板支持縦ポール１２ａ，１２ａの上方には、実施形態１のものよりも短い上側看板支持横ポール１２ｂおよび下側看板支持横ポール１２ｃを看板１２ｄの縦方向（上下方向）の長さに合わせて連結する。
【００４５】
そして実施形態２の看板装置１では、以上のように連結した上側看板支持横ポール１２ｂおよび下側看板支持横ポール１２ｃに対し、実施形態１よりも面積が小さい看板１２ｄを取り付ける一方、ベース部１１には、複数の中空ブロック１３を積載する。
【００４６】
その際、実施形態２の看板装置１では、中空ブロック１３は、基本的には一段積みとし、上側短尺横管１１ｄ，１１ｄの外側にも中空ブロック１３を積載するスペースがあるため、上側短尺横管１１ｄ，１１ｄの外側で下側短尺横管１１ｅ，１１ｅとの間にも中空ブロック１３を積載する。
【００４７】
従って、実施形態２の看板装置１によれば、実施形態１の看板装置１と同様に、ベース部１１には貫通した空洞部１３ａを有する中空ブロック１３が錘として設置され、しかも空洞部１３ａの貫通方向が看板部１２の看板１２ｄに対して直交するようにベース部１１に設置されるため、強風でも倒れ難くまた吹き飛ばされ難い等、実施形態１の看板装置１と同様の効果が得られる。
【００４８】
実施形態３．
上記実施形態１の看板装置１では、左右の看板支持縦ポール１２ａ，１２ａをそれぞれ上側短尺横管１１ｄ，１１ｄと下側短尺横管１１ｅ，１１ｅに連結し、上記実施形態２の看板装置１では、左右の看板支持縦ポール１２ａ，１２ａをそれぞれ上側短尺横管１１ｄ，１１ｄと後側のブロック支持管１１ｆに連結して説明したが、実施形態３の看板装置１では、左右の看板支持縦ポール１２ａ，１２ａをベース部１１ではなく、中空ブロック１３に固定するように構成したものである。
【００４９】
図８（ａ）〜（ｃ）はそれぞれ本発明に係る実施形態３の看板装置１における中空ブロック１３の平面図、正面図、側面図である。
【００５０】
図８（ａ）〜（ｃ）に示すように、実施形態３の看板装置１では、中空ブロック１３の上面１３ｂには、看板支持縦ポール１２ａが嵌るポール支持金具１２ｃが固定されている。ただし、実施形態３では、全ての中空ブロック１３の上面１３ｂにポール支持金具１２ｃを固定する必要がなく、看板支持縦ポール１２ａが２本なので、少なくとも２個の中空ブロック１３にポール支持金具１２ｃが固定されていれば十分である。尚、ポール支持金具１２ｃおよび看板支持縦ポール１２ａには、ポール支持金具１２ｃから看板支持縦ポール１２ａが抜けないようにピン孔またはネジ孔を設けておき、そのピン孔またはネジ孔にピンまたはネジを挿入するように構成しても良い。
【００５１】
そのため、実施形態３の看板装置１では、ベース部１１に中空ブロック１３を設置する際、看板支持縦ポール１２ａ，１２ａの間隔に合せてポール支持金具１２ｃが固定された中空ブロック１３を設置する。
【００５２】
図９は、本発明に係る実施形態３の看板装置１の正面図である。
【００５３】
図９に示す実施形態３の看板装置では、図８に示すようにポール支持金具１２ｃが固定された中空ブロック１３は４個使用する一方、ポール支持金具１２ｃが固定されていない中空ブロック１３は６個使用して、ポール支持金具１２ｃが固定された両側２個ずつの中空ブロック１３の間に、ポール支持金具１２ｃが固定されていない中空ブロック１３を４個挟むように設置している。
【００５４】
そのため、実施形態３の看板装置では、図9に示す中空ブロック１３の配置では、中空ブロック１３の配置を図９のまま変更しなくても、看板支持縦ポール１２ａ，１２ａの間隔を広げることが出来ると共に、看板支持縦ポール１２ａ，１２ａとして４本使用することも可能となる。
【００５５】
また、実施形態３の看板装置では、ポール支持金具１２ｃが固定された中空ブロック１３と、ポール支持金具１２ｃが固定されていない中空ブロック１３の配列を適宜変更することによって、看板支持縦ポール１２ａ，１２ａの間隔を任意に設定することも可能となる。
【００５６】
従って、実施形態３の看板装置１によれば、実施形態１および実施形態２の看板装置１と同様に、ベース部１１には貫通した空洞部１３ａを有する中空ブロック１３が錘として設置され、しかも空洞部１３ａの貫通方向が看板部１２の看板１２ｄに対して直交するようにベース部１１に設置されるため、強風でも倒れ難く、また吹き飛ばされ難い等、実施形態１，２の看板装置１と同様の効果が得られる。
【００５７】
特に、実施形態３の看板装置１では、左右の看板支持縦ポール１２ａ，１２ａをベース部１１の上側短尺横管１１ｄ，１１ｄと下側短尺横管１１ｅ，１１ｅ等に連結するのではなく、中空ブロック１３の上面１３ｂに設けたポール支持金具１３ｃに連結するため、ポール支持金具１３ｃが上面に設けられた中空ブロック１３の位置を変えたり、またはそのポール支持金具１３ｃが設けられた中空ブロック１３のポール支持金具１３ｃを適宜選択することによって、看板部１２のポールである看板支持縦ポール１２ａの本数や間隔を任意に設定でき、看板１２ｄの大きさの変更に簡単に対応することができる。
【００５８】
尚、上記実施形態１〜３の看板装置１の発明では、ベース部１１の底面側に自在キャスター１４を設けた移動式の看板装置で説明したが、本発明では、これに限定されることはなく、自在キャスター１４を設けず、移動できない固定式の看板装置１にも適用可能である。
【００５９】
また、上記実施形態１〜３の看板装置１の発明では、前後方向に貫通した空洞部１３ａを有する中空ブロック１３として、図４等に示す前後方向に貫通した空洞部１３ａを有する中空で立方体形状の中空ブロック１３で説明したが、本発明では、これに限定されることはなく、積載し難いものの前後方向に風が抜ける前後方向および下方または上方の一方向が開放された空洞部を有するＵ字形状の中空ブロック等でも勿論良い。
【００６０】
また、上記実施形態１〜３の看板装置１の発明では、ベース部１１を構成する上側前長尺横管１１ｂ１および上側後長尺横管１１ｂ２や、下側前長尺横管１１ｃ１および下側後長尺横管１１ｃ２等の複数の単管パイプ（鋼管）は、足場等で使用される外径が４８．６ｍｍの同一外径のものを使用して説明したが、本発明では、これに限定されることはなく、それ以外の径の単管パイプを使用しても良いし、さらには木材や、アングル材または角パイプ等の鉄骨等を使用しても良く、要は、中空ブロック１３の空洞部１３ａを完全に塞がないような太さや形状の部材であれば良い。
【符号の説明】
【００６１】
１  看板装置
１１  ベース部
１１ａ  縦管（単管パイプ）
１１ｂ１  上側前長尺横管（単管パイプ）
１１ｂ２  上側後長尺横管（単管パイプ）
１１ｃ１  下側前長尺横管（単管パイプ）
１１ｃ２  下側後長尺横管（単管パイプ）
１１ｄ  上側短尺横管（単管パイプ）
１１ｅ  下側短尺横管（単管パイプ）
１１ｆ  ブロック支持管（単管パイプ）
１２  看板部
１２ａ  看板支持縦ポール（単管パイプ）
１２ｂ  上側看板支持横ポール（単管パイプ）
１２ｃ  下側看板支持横ポール（単管パイプ）
１２ｄ  看板
１３  中空ブロック
１３ａ  空洞部
１３ｂ  上面
１３ｃ  ポール支持金具
１４  自在キャスタ−
【図１】
2018081215.tif 000003
【図２】
2018081215.tif 000004
【図３】
2018081215.tif 000005
【図４】
2018081215.tif 000006
【図５】
2018081215.tif 000007
【図６】
2018081215.tif 000008
【図７】
2018081215.tif 000009
【図８】
2018081215.tif 000010
【図９】
2018081215.tif 000011
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
看板部を支持するベース部を備えた看板装置であって、前記ベース部には、錘として前後方向に貫通した空洞部を有する中空ブロックが設けられ、
前記中空ブロックは、複数設けられており、前記ベース部に着脱自在で位置が変更可能に設置され、かつ、それら複数の中空ブロックの内、少なくとも２以上の中空ブロックの上面には、前記看板部のポールを支持するポール支持金具が設けられており、
そのポール支持金具が上面に設けられた中空ブロックの位置を変えたり、またはそのポール支持金具が上面に設けられた各中空ブロックのポール支持金具を選択することによって、前記看板部のポールの本数や間隔を任意に設定できるように構成されていることを特徴とする看板装置。
【請求項２】
請求項１に記載された看板装置において、
前記中空ブロックは、空洞部の貫通方向が前記看板部の看板面に対して直交するように前記ベース部に設置されることを特徴とする看板装置。
【請求項３】
請求項１または請求項２に記載された看板装置において、
前記ベース部は、
同一外径の複数の単管パイプを連結金具で連結して構成されており、その外径は前記中空ブロックの空洞部を完全に塞がないように空洞部の高さおよび幅よりも小さいことを特徴とする看板装置。
【請求項４】
請求項１〜請求項３のいずれか一の請求項に記載された看板装置において、
前記ベース部には、キャスターが設けられていることを特徴とする看板装置。
【請求項５】
看板部を支持するベース部を備えた看板装置であって、
前記ベース部は、
平面視ほぼ長方形状の直方体フレームを構成するように、
当該ベース部の４隅に立設して設けられ、その下端部にそれぞれストッパー付きの自在キャスターが設けられた４本の縦管と、
当該ベース部の平面視長方形状の上側前後の長辺を構成するように前記各縦管の上側にそれぞれ連結金具で連結される上側前長尺横管および上側後長尺横管と、
当該ベース部の平面視長方形状の下側前後の長辺を構成するように前記各縦管の下側にそれぞれ連結金具で連結される下側前長尺横管および下側後長尺横管と、
前記上側前長尺横管と上側後長尺横管の左右両側の上側に当該ベース部の長方形状の左右の短辺をそれぞれ構成するように連結金具で連結される上側短尺横管と、
前記下側前長尺横管と下側後長尺横管の左右両側の下側に当該ベース部の長方形状の左右の短辺をそれぞれ構成するように連結金具で連結される下側短尺横管と、
左右両側の前記下側短尺横管の下側に、前記上側前長尺横管、前記上側後長尺横管、前記下側前長尺横管および前記下側後長尺横管と平行でかつ一定間隔を開けて連結金具で連結して設けた複数のブロック支持管とを備え、
前記看板部を支持する両側の看板支持縦ポールは、それぞれ、左右両側の前記上側短尺横管および前記下側短尺横管に連結金具で連結して構成されており、
前記ベース部は、錘として前後方向に貫通した空洞部を有する複数の中空ブロックを前記複数のブロック支持管の上に積み下ろし可能に積載し、かつ、当該ベース部に積載した前記複数の中空ブロックが当該ベース部の前後方向および左右方向から落下しないように前記４本の縦管、前記上側前長尺横管および上側後長尺横管、前記下側前長尺横管および下側後長尺横管、前記上側短尺横管、前記下側短尺横管および前記複数のブロック支持管を連結して構成すると共に、前記上側前長尺横管および上側後長尺横管と、前記下側前長尺横管および下側後長尺横管とは、前記複数の中空ブロックの空洞部の高さよりも細い外径で、かつ、上下方向に間隔を開けて設けたことを特徴とする看板装置。
【手続補正２】
【補正対象書類名】明細書
【補正対象項目名】０００９
【補正方法】変更
【補正の内容】
【０００９】
前記課題を解決するため、本発明に係る看板装置は、看板部を支持するベース部を備えた看板装置であって、前記ベース部には、錘として前後方向に貫通した空洞部を有する中空ブロックが設けられ、前記中空ブロックは、複数設けられており、前記ベース部に着脱自在で位置が変更可能に設置され、かつ、それら複数の中空ブロックの内、少なくとも２以上の中空ブロックの上面には、前記看板部のポールを支持するポール支持金具が設けられており、そのポール支持金具が上面に設けられた中空ブロックの位置を変えたり、またはそのポール支持金具が上面に設けられた各中空ブロックのポール支持金具を選択することによって、前記看板部のポールの本数や間隔を任意に設定できるように構成されていることを第１の特徴とする。
また、本発明に係る看板装置は、前記看板装置において、前記中空ブロックは、空洞部の貫通方向が前記看板部の看板面に対して直交するように前記ベース部に設置されることを第２の特徴とする。
また、本発明に係る看板装置は、前記看板装置において、前記ベース部は、同一外径の複数の単管パイプを連結金具で連結して構成されており、その外径は前記中空ブロックの空洞部を完全に塞がないように空洞部の高さおよび幅よりも小さいことを第３の特徴とする。
また、本発明に係る看板装置は、前記看板装置において、前記ベース部には、キャスターが設けられていることを第４の特徴とする。
また、本発明に係る看板装置は、看板部を支持するベース部を備えた看板装置であって、前記ベース部は、平面視ほぼ長方形状の直方体フレームを構成するように、当該ベース部の４隅に立設して設けられ、その下端部にそれぞれストッパー付きの自在キャスターが設けられた４本の縦管と、当該ベース部の平面視長方形状の上側前後の長辺を構成するように前記各縦管の上側にそれぞれ連結金具で連結される上側前長尺横管および上側後長尺横管と、当該ベース部の平面視長方形状の下側前後の長辺を構成するように前記各縦管の下側にそれぞれ連結金具で連結される下側前長尺横管および下側後長尺横管と、前記上側前長尺横管と上側後長尺横管の左右両側の上側に当該ベース部の長方形状の左右の短辺をそれぞれ構成するように連結金具で連結される上側短尺横管と、前記下側前長尺横管と下側後長尺横管の左右両側の下側に当該ベース部の長方形状の左右の短辺をそれぞれ構成するように連結金具で連結される下側短尺横管と、左右両側の前記下側短尺横管の下側に、前記上側前長尺横管、前記上側後長尺横管、前記下側前長尺横管および前記下側後長尺横管と平行でかつ一定間隔を開けて連結金具で連結して設けた複数のブロック支持管とを備え、前記看板部を支持する両側の看板支持縦ポールは、それぞれ、左右両側の前記上側短尺横管および前記下側短尺横管に連結金具で連結して構成されており、前記ベース部は、錘として前後方向に貫通した空洞部を有する複数の中空ブロックを前記複数のブロック支持管の上に積み下ろし可能に積載し、かつ、当該ベース部に積載した前記複数の中空ブロックが当該ベース部の前後方向および左右方向から落下しないように前記４本の縦管、前記上側前長尺横管および上側後長尺横管、前記下側前長尺横管および下側後長尺横管、前記上側短尺横管、前記下側短尺横管および前記複数のブロック支持管を連結して構成すると共に、前記上側前長尺横管および上側後長尺横管と、前記下側前長尺横管および下側後長尺横管とは、前記複数の中空ブロックの空洞部の高さよりも細い外径で、かつ、上下方向に間隔を開けて設けたことを第５の特徴とする。
【手続補正３】
【補正対象書類名】明細書
【補正対象項目名】００１０
【補正方法】変更
【補正の内容】
【００１０】
本発明に係る看板装置の第１の特徴によれば、看板部を支持するベース部には貫通した空洞部を有する中空ブロックが錘として設置されるため、中空ブロックは水タンクよりも比重が大きいので、強風でも倒れ難く、また吹き飛ばされ難い看板装置を提供することができる。また、中空ブロックは着脱自在で、位置が変更可能に構成され、かつ、これら複数の中空ブロックの内、少なくとも２以上の中空ブロックの上面には、前記看板部のポールを支持するポール支持金具が設けられており、そのポール支持金具が上面に設けられた中空ブロックの位置を変えたり、またはそのポール支持金具が上面に設けられた各中空ブロックのポール支持金具を選択することによって、看板部のポールの本数や間隔を任意に設定できるため、看板の大きさの変更に簡単に対応することができる。
また、本発明に係る看板装置の第２の特徴によれば、中空ブロックは、空洞部の貫通方向が看板部の看板面に対して直交するように設置されるため、看板面は面積が大きいため風の抵抗が大きいものの、ベース部に設置される中空ブロックに当たった風は中空ブロックの空洞部から逃がすことが可能となり、この点でも強風でも倒れ難く、また吹き飛ばされ難い看板装置を提供することができる。
また、本発明に係る看板装置の第３の特徴によれば、ベース部は、同一外径の複数の単管パイプを連結金具で連結して構成されており、その外径は中空ブロックの空洞部を完全に塞がないように空洞部の高さおよび幅よりも小さいため、強風でも倒れ難く、また吹き飛ばされ難い看板装置を提供できると共に、同一外径の単管パイプの使用によりコストを低減することができる。
また、本発明に係る看板装置の第４の特徴によれば、ベース部には、キャスターが設けられているため、簡単に移動させることが可能となり、建築業者やそれ以外の業者、例えば、アスファルト舗装業者や水道業者、内装業者、電気業者など様々な業者の作業効率を向上させることができる。
また、本発明に係る看板装置の第５の特徴によれば、ベース部は、平面視ほぼ長方形状の直方体フレームを構成するように、当該ベース部の４隅に立設して設けられ、その下端部にそれぞれストッパー付きの自在キャスターが設けられた４本の縦管と、当該ベース部の平面視長方形状の上側前後の長辺を構成するように各縦管の上側にそれぞれ連結金具で連結される上側前長尺横管および上側後長尺横管と、当該ベース部の平面視長方形状の下側前後の長辺を構成するように各縦管の下側にそれぞれ連結金具で連結される下側前長尺横管および下側後長尺横管と、上側前長尺横管と上側後長尺横管の左右両側の上側に当該ベース部の長方形状の左右の短辺をそれぞれ構成するように連結金具で連結される上側短尺横管と、下側前長尺横管と下側後長尺横管の左右両側の下側に当該ベース部の長方形状の左右の短辺をそれぞれ構成するように連結金具で連結される下側短尺横管と、左右両側の下側短尺横管の下側に、上側前長尺横管、上側後長尺横管、下側前長尺横管および下側後長尺横管と平行でかつ一定間隔を開けて連結金具で連結して設けた複数のブロック支持管とを備え、看板部を支持する両側の看板支持縦ポールは、それぞれ、左右両側の上側短尺横管および下側短尺横管に連結金具で連結して構成されており、ベース部は、錘として前後方向に貫通した空洞部を有する複数の中空ブロックを複数のブロック支持管の上に積み下ろし可能に積載し、かつ、当該ベース部に積載した複数の中空ブロックが当該ベース部の前後方向および左右方向から落下しないように４本の縦管、上側前長尺横管および上側後長尺横管、下側前長尺横管および下側後長尺横管、上側短尺横管、下側短尺横管および複数のブロック支持管を連結して構成すると共に、上側前長尺横管および上側後長尺横管と、下側前長尺横管および下側後長尺横管とは、複数の中空ブロックの空洞部の高さよりも細い外径で、かつ、上下方向に間隔を開けて設けたため、ベース部に複数の中空ブロックを積み下ろし可能に積載できると共に、積載した複数の中空ブロックが当該ベース部の前後方向および左右方向から落下することも防止でき、中空ブロックを積載した状態でも簡単に移動することができる。特に、上側前長尺横管および上側後長尺横管と、下側前長尺横管および下側後長尺横管とは、複数の中空ブロックの空洞部の高さよりも細い外径で、かつ、上下方向に間隔を開けて設けたため、ベース部に積載された中空ブロックに当たった風は中空ブロックの空洞部から逃がすことが可能となり、強風でも倒れ難く、また吹き飛ばされ難い看板装置を提供することができる。